(57)【要約】【課題】内容液を移し替える際、注ぎ始めに内容液をこぼしにくい詰替パウチの提供。【解決手段】重ね合わせた表側フィルム１ａと裏側フィルム１ｂとの間に形成された収容部２と、表側フィルム１ａと裏側フィルム１ｂの端縁に形成されたシール部３，４，５，７，８と、収容部２に収容された内容液Ｃを他の容器に詰め替える際に内容液Ｃを注出するために取り付けられた筒口部９と、を備えた詰替パウチ１０であって、最初の詰替前に、内容液Ｃの液面ｃｆが筒口部９の内部側開口９１の下端部９１ａと接するまで、詰替パウチ１０を筒口部９側へ傾けたとき、筒口部９の外部側開口９２の下端部９２ａの位置が内部側開口９１の下端部９１ａの位置よりも低くなるように、筒口部９が取り付けられている。【選択図】図２
2020175930.tif 000002
【特許請求の範囲】
【請求項１】
重ね合わせた表側フィルムと裏側フィルムとの間に形成された収容部と、
前記表側フィルムと前記裏側フィルムの端縁に形成されたシール部と、
前記収容部に収容された内容液を他の容器に詰め替える際に前記内容液を注出するために取り付けられた筒口部と、を備えた詰替パウチであって、
最初の詰替前に、前記内容液の液面が前記筒口部の内部側開口の下端部と接するまで、前記詰替パウチを前記筒口部側へ傾けたとき、前記筒口部の外部側開口の下端部が前記内部側開口の下端部よりも低くなるように、前記筒口部が取り付けられている
ことを特徴とする詰替パウチ。
【請求項２】
前記内容液が注ぎ出始めるときの口筒部の俯角が、１０°以上である
ことを特徴とする請求項１に記載の詰替パウチ。
【請求項３】
前記シール部は、
対向する２つのサイドシール部と、
トップシール部と、
前記２つのサイドシール部の一方のサイドシール部と前記トップシール部との間を連絡する、前記一方のサイドシール部に対して傾斜した傾斜シール部と、を有し、
前記サイドシール部の外縁の仮想延長線と、前記トップシール部の外縁の仮想延長線と、前記傾斜シール部の外縁とで囲まれた領域に前記筒口部が収まるように、前記筒口部は前記傾斜シール部に取り付けられている
ことを特徴とする、請求項１又は２に記載の詰替パウチ。
【請求項４】
前記傾斜シール部の外縁は、前記一方のサイドシール部の外縁に対して、１０°以上の傾斜角度を有することを特徴とする、請求項３記載の詰替パウチ。
【請求項５】
対向する前記２つのサイドシール部は、２５０ｍｍ以下の間隔を有する
ことを特徴とする、請求項３又は４記載の詰替パウチ。
【請求項６】
前記内容液は、１〜２００ｍＰａ・ｓの粘度を有する
ことを特徴とする、請求項１〜５のいずれかに記載の詰替パウチ。
【請求項７】
前記収容部は、４００〜４０００ｍＬの容量を有する
ことを特徴とする、請求項１〜６のいずれかに記載の詰替パウチ。
【請求項８】
重ね合わせた表側フィルムと裏側フィルムとの間に形成された収容部と、
前記表側フィルムと前記裏側フィルムの端縁に形成されたシール部と、
前記収容部に収容された内容液を他の容器に詰め替える際に前記内容液を注出するために取り付けられた筒口部と、を備えた詰替パウチにおける前記筒口部の取付け角度を設定する方法であって、
詰替前の前記内容液の液面が前記筒口部の内部側開口の下端部と接するまで前記詰替パウチを傾けたとき、前記筒口部の外部側開口の下端部が前記内部側開口の下端部よりも低くなるように、前記筒口部の取付け角度を設定する
ことを特徴とする、詰替パウチの筒口部の取付け角度設定方法。
【発明の詳細な説明】
【技術分野】
【０００１】
本発明は、詰替パウチ、及び詰替パウチの筒口部の取付け角度設定方法に係り、より詳細には、内容液を他の容器に詰め替える際に内容液を注出するための筒口部を備えた詰替パウチ、及びその筒口部の取付け角度設定方法に関する。
【背景技術】
【０００２】
近年、詰替用の内容液を収容した軟質合成樹脂フィルム製のスタンディングパウチのような詰替パウチが広く利用されている。特に、複数回分の詰替用内容液として、詰替先の保形容器の容量の２倍以上の量の内容液が収容された大容量の詰替パウチが普及している。詰替パウチには、内容液をプラスチックボトル等の保形容器に移し替える際に内容液を注出するための筒口部（スパウト）が取り付けられている。
【０００３】
一方、詰替パウチは、軟質合成樹脂フィルム製で柔らかいため、内容液が収容された状態で胴部を掴みにくい。特に、大容量の詰替パウチは重く、これを持ち上げると手指から滑りやすいため、内容液の詰替作業は容易ではない。
そこで、特許文献１には、肉厚片という簡易な構成を設けることによって、内容液を移し替える際に持ちやすくした詰替パウチが提案されている。
【先行技術文献】
【特許文献】
【０００４】
【特許文献１】特開２０１８−１１８７８４号公報
【発明の概要】
【発明が解決しようとする課題】
【０００５】
ところで、詰替パウチから詰替先の保形容器に内容液を詰め替える際、注ぎ始めに、内容液が勢いよく飛び出して、こぼれてしまうことがある。特に、大容量の詰替パウチから詰め替える際には、詰替先の保形容器を床や台に置いたまま、詰替パウチを両手で持ち上げて傾ける必要があるため、詰替パウチの筒口部を詰替先の保形容器の口部に持って行く前に、内容液が勢いよく飛び出してしまうことが多い。
また、詰替先の保形容器が、スプレーボトルのように、略水平面内に開口した狭い口部を有している場合や、液だれ防止用のトランジッションキャップを備えない液体洗剤や柔軟剤の保形容器に詰め替える場合、詰替時に内容液がよりこぼれやすい傾向がある。
また、特に、内容液が、浴室用合成洗剤や液体消臭剤のように、水の粘度と同程度の低粘度の液体である場合には、詰替パウチの内容液が液体洗剤や柔軟剤のような高粘度の液体である場合に比べて、内容液がより勢いよく飛び出してしまう傾向がある。
【０００６】
本発明は、上記の事情に鑑みてなされたものであり、内容液を移し替える際、注ぎ始めに内容液をこぼしにくい詰替パウチ、及び詰替パウチの筒口部の取付け角度設定方法を提供することを目的としている。
【課題を解決するための手段】
【０００７】
本出願に係る発明者は、種々の実験及び検討を重ねた結果、在来の詰替パウチでは、内容液を詰替パウチから詰替先の保形容器に詰め替える際、筒口部から内容液が注ぎ出始めた瞬間に、詰替パウチの筒口部が水平よりも上方を向いていると、内容液が勢いよく飛び出して、こぼれやすいことを見いだした。本発明は、かかる知見に基づいてなされたものである。
【０００８】
すなわち、上記の目的を達成するため、本発明の詰替パウチは、重ね合わせた表側フィルムと裏側フィルムとの間に形成された収容部と、前記表側フィルムと前記裏側フィルムの端縁に形成されたシール部と、前記収容部に収容された内容液を他の容器に詰め替える際に前記内容液を注出するために取り付けられた筒口部と、を備えた詰替パウチであって、詰替前の前記内容液の液面が前記筒口部の内部側開口の下端部と接するまで前記詰替パウチを傾けたとき、前記筒口部の外部側開口の下端部が前記内部側開口の下端部よりも低くなるように、前記筒口部が取り付けられていることを特徴としている。
【０００９】
また、本発明の詰替パウチの筒口部の取付け角度設定方法は、重ね合わせた表側フィルムと裏側フィルムとの間に形成された収容部と、前記表側フィルムと前記裏側フィルムの端縁に形成されたシール部と、前記収容部に収容された内容液を他の容器に詰め替える際に前記内容液を注出するために取り付けられた筒口部と、を備えた詰替パウチにおける前記筒口部の取付け角度を設定する方法であって、詰替前の前記内容液の液面が前記筒口部の内部側開口の下端と接するまで前記詰替パウチを傾けたとき、前記筒口部の外部側開口の下端部が前記内部側開口の下端部よりも低くなるように、前記筒口部の取付け角度を設定することを特徴としている。
【００１０】
本発明によれば、詰替前の内容液の液面が筒口部の内部側開口の下端部と接するまで詰替パウチを傾けたとき、筒口部の外部側開口の下端部が内部側開口の下端部よりも低くなるように、筒口部が取り付けられている。換言すれば、詰替パウチを傾けていって筒口部から内容液が注ぎ出始めた瞬間に、筒口部が水平よりも下方を向いているように、筒口部が取り付けられている。更に換言すれば、その瞬間に筒口部の根元から先端へ向かう軸線が水平に対して俯角をなすように、筒口部が取り付けられている。
【００１１】
これにより、筒口部から内容液が注ぎ出始めた瞬間に、内容液が上方に向かって飛び出すことが回避され、注ぎ始めに内容液をこぼしにくくすることができる。また、注ぎ始めに筒口部が水平よりも下方を向いているため、筒口部を詰替先の保形容器の口部に挿入しやすくなり、その結果、注ぎ始めに内容液をこぼしにくくすることができる。
【００１２】
また、筒口部から内容液が注ぎ出始める直前に、筒口部が水平よりも上方を向いていると、筒口部の内部側開口が内容液によって塞がれ外部からの空気流入が遮断されることがある。そのため、内容液が注ぎ出始めた瞬間に、筒口部の内部を満たしていた内容液が一斉に勢いよく飛び出すことになる。
これに対し、本発明のように、筒口部から内容液が注ぎ出始めるときに、筒口部が水平よりも下方を向いていれば、筒口部内が内容液によって満たされていない。その結果、筒口部から内容液が注ぎ出始めた瞬間に、筒口部内を満たしていた内容液が一斉に勢いよく飛び出すことが回避されて、内容液がこぼれにくくなる。
【発明の効果】
【００１３】
本発明によれば、内容液を移し替える際、注ぎ始めに内容液をこぼしにくい詰替パウチ、及び詰替パウチの筒口部の取付け角度設定方法を提供することができる。
【図面の簡単な説明】
【００１４】
【図１】本発明の実施形態による詰替パウチの正面図である。
【図２】図１に示す詰替パウチを、内容液が注ぎ出る直前まで傾けた状態を示す要部拡大図である。
【図３】在来の詰替パウチの正面図である。
【図４】図３に示す在来の詰替パウチを、内容液が注ぎ出る直前まで傾けた状態を示す要部拡大図である。
【発明を実施するための形態】
【００１５】
（在来の詰替パウチ）
まず、本発明の実施形態の説明に先立ち、図３及び図４を参照して、従来の詰替パウチを説明する。
図３に示す在来の詰替パウチ１００は、スタンディングパウチであって、重ね合わせた表側フィルム１０１ａと裏側フィルム１０１ｂとの間に形成された収容部１０２と、表側フィルム１０１ａと裏側フィルム１０１ｂの端縁に形成されたシール部とを備えている。シール部としては、表側フィルム１０１ａと裏側フィルム１０１ｂとをシールした、対向する２つのサイドシール部１０３及び１０４、及びトップシール部１０５と、表側フィルム１０１ａ及び裏側フィルム１０１ｂと底部のマチ部１０６とをシールしたボトムシール部１０７とが形成されている。
【００１６】
詰替パウチ１００では、２つのサイドシール部１０３及び１０４の一方のサイドシール部１０３とトップシール部１０５との出会うコーナー部分が、斜めに切り落とされて、サイドシール部１０３とトップシール部１０５との間を連絡する傾斜シール部１０８が形成されている。傾斜シール部１０８は、サイドシール部１０３に対して約４５°傾斜している。
【００１７】
傾斜シール部１０８には、収容部１０２に収容された内容液を他の容器に詰め替える際に内容液を注出するために取り付けられた筒口部１０９が取り付けられている。筒口部１０９は、傾斜シール部１０８の外縁にほぼ直交するように設けられている。筒口部１０９はまた、筒口部１０９の内部側開口１９１が傾斜シール部１０８の内縁に位置するように配置されている。
なお、図３では、スクリューキャップ１０９ａを筒口部１０９に螺合した開栓前の状態を示し、図４では、スクリューキャップ１０９ａを外した状態を示す。
【００１８】
ここで、図４に、在来の詰替パウチ１００を、最初の詰替時に、内容液が注ぎ出る直前まで傾けた状態を示す。同図に示すように、このとき、詰替パウチ１００の筒口部１０９の軸線Ｏは、内容液Ｃの液面ｃｆに対して上方を向いている。同図では、この仰角をθｅで表している。
換言すれば、内容液Ｃの液面ｃｆの高さが、筒口部１０９の外部側開口１９２の下端部１９２ａの高さとほぼ同じになるまで、詰替パウチ１００を傾けたときに、筒口部１０９の外部側開口１９２が水平よりも上方を向いている。すなわち、筒口部１０９の外部側開口１９２の下端部１９２ａの位置が、筒口部１０９の内部側開口１９１の下端部１９１ａの位置よりも高くなっている。
【００１９】
なお、実際には、詰替パウチ１００を内容液Ｃが注ぎ出る直前まで傾けたときに、筒口部１０９の内部側開口１９１が内容液によって塞がれ外部からの空気流入が遮断されることがある。そのため、筒口部１０９が水平よりも上方を向いたまま、筒口部１０９から内容液Ｃが注ぎ出始めると、注ぎ始めに、筒口部１０９の内部を満たしていた内容液が一斉に勢いよく飛び出して、こぼしてしまうことが多い。
つまり、収容部２内の空気Ａが、詰替パウチ１００外部の空気とつながっていないため、外部から気体塊が筒口部１０９内部を満たしている内容液Ｃを押しのけて、筒口部１０９内に進入するのと入れ替えに、押し退けられた筒口部１０９内の内容液Ｃが勢いよく飛び出すことになる。
【００２０】
（本発明の実施形態による詰替パウチ）
次に、図１及び図２を参照して本発明の詰替パウチ及びその筒口部の取付け角度の設定方法の実施形態を説明する。
図１に示す詰替パウチ１０は、スタンディングパウチであって、重ね合わせた表側フィルム１ａと裏側フィルム１ｂとの間に収容部２を形成している。
表側フィルム１ａ及び裏側フィルム１ｂは、熱融着可能なシーラント層と基材層による積層フィルムにより構成されている。また、印刷層、接着層を設けることも可能である。
【００２１】
表側フィルム１ａ及び裏側フィルム１ｂには、熱融着可能であれば、種々の材料及び構成を採用することができる。例えば、ナイロン、直鎖状ポリエチレン、低密度ポリエチレン、高密度ポリエチレン、ポリプロピレン等のポリオレフィン類、ポリエチレンテレフタレートなどのポリエステル類等の熱可塑性樹脂を挙げることができる。また、表側フィルム１ａ及び裏側フィルム１ｂは、バリア性フィルムであるアルミ蒸着フィルムや各種蒸着フィルム、又はアルミラミネートフィルムを挙げることができる。また、これらのプラスチックフィルムを単層で、或いは二種以上を積層して構成することができ、内容液に応じて適宜選択される。
【００２２】
また、表側フィルム１ａと裏側フィルム１ｂの端縁にはシール部が形成されている。シール部としては、表側フィルム１ａと裏側フィルム１ｂとをシールした、対向する２つのサイドシール部３及び４、及びトップシール部５と、表側フィルム１ａ及び裏側フィルム１ｂと底部のマチ部６とをシールしたボトムシール部７とが形成されている。
【００２３】
詰替パウチ１では、２つのサイドシール部３及び４の一方のサイドシール部３とトップシール部５との出会うコーナー部分が、斜めに切り落とされ、サイドシール部３とトップシール部５との間を連絡する傾斜シール部８が形成されている。
【００２４】
傾斜シール部８には、収容部２に収容された内容液を他の容器に詰め替える際に内容液を注出するために取り付けられた筒口部９が取り付けられている。筒口部９は、その内部側開口９１が傾斜シール部８の内縁８ｂに位置するように配置されている。
なお、図１では、スクリューキャップ９ａを螺合した筒口部９を示し、図２では、スクリューキャップ９ａを外した筒口部９を示す。
【００２５】
ここで、図２を参照して、詰替パウチ１の筒口部９の取り付け角度について説明する。本実施形態の詰替パウチ１０では、詰替前の内容液Ｃの液面ｃｆが筒口部９の内部側開口９１の下端９１ａと接するまで詰替パウチ１０を筒口部９側へ傾けたとき、筒口部９の外部側開口９２の下端部９２ａの位置が内部側開口９１の下端部９１ａの位置よりも低くなるように、筒口部９の取付け角度が設定されている。
換言すれば、最初の詰替時に、詰替パウチ１０を内容液Ｃが注ぎ出る直前まで傾けたとき、筒口部９の軸線Ｏが、内容液Ｃの液面ｃｆに対して下方を向いている。図２では、この角度をθｃで表している。すなわち、内容液Ｃの液面ｃｆの高さが、筒口部９の内部側開口９１の下端部９１ａの高さとほぼ同じになるまで、詰替パウチ１００を傾けたときに、筒口部１０９の外部側開口１９２が水平よりも下方を向いている。
【００２６】
これにより、筒口部９から内容液Ｃが注ぎ出始めた瞬間に、内容液Ｃが上方に向かって飛び出すことが回避され、注ぎ始めに内容液Ｃをこぼしにくくすることができる。また、注ぎ始めに筒口部９が水平よりも下方を向いているため、筒口部９を詰替先の保形容器の口部に挿入しやすくなり、その結果、注ぎ始めに内容液をこぼしにくくすることができる。
特に、本実施形態では、注出直前に筒口部９が水平よりも下方を向いているため、注出開始時に、筒口内部９が内容液Ｃで満たされておらず、収容部２内の空気Ａと詰替パウチ１０の外部の空気とが連通している。その結果、注出開始時に、筒口部９内において、筒口部９から流出する内容液Ｃと、外部から筒口部９内へ進入する空気とがそれぞれ筒口部９内を円滑に流通する。すなわち、注出開始時に、筒口部９内の下側を内容液Ｃが流れ、筒口部９内の上側を空気が流れる。これにより、注出開始時に、進入する空気によって筒口部９内の内容液Ｃが押し出されることが回避され、内容液Ｃが勢いよく飛び出すことを防止することができる。
【００２７】
筒口部９の取り付け角度は、詰替パウチ１０に充填される内容液Ｃの液面ｃｆの高さによって決まる。したがって、詰替パウチ１０に充填される内容液Ｃの量が多いほど、筒口部９の取り付け角度、例えば、詰替パウチ１０を傾けずに正置したときの鉛直線である、サイドシール部３の外縁３ａの仮想延長線Ｌ１と、筒口部９の軸線Ｏとの成す角度θａを大きく設定する必要がある。
また、詰替パウチ１０を傾けないときの内容液Ｃの液面ｃｆの高さが、筒口部９の内部側開口９１の下端部９１ａの高さに近い場合には、本実施形態の詰替パウチ１０では、図１及び図２に示したような在来の詰替パウチ１００の筒口部１０９の取り付け角度よりも、水平に対する傾斜角度を大きくする設定されることが多い。
なお、詰替パウチ１０を傾けないときの内容液Ｃの液面ｃｆの高さは、筒口部９の内部側開口９１の下端部９１ａの高さよりも低いことが望ましい。
【００２８】
また、本実施形態の詰替パウチ１０の筒口部９は、図１に示すように、サイドシール部３の外縁３ａの仮想延長線Ｌ１と、トップシール部５の外縁５ａの仮想延長線Ｌ２と、傾斜シール部８の外縁８ａとで囲まれた領域に収まるように、傾斜シール部８に取り付けられている。さらに、筒口部９にスクリューキャップ９ａを取り付けた状態で、上記の囲まれた領域に収まることがより好ましい。
これにより、筒口部９の取り付け角度が在来のものと異なっていても、筒口部９が邪魔にならない。その結果、詰替パウチ１０の梱包及び陳列を，在来のものと同様に効率よく行うことができる。
【００２９】
また、図１において、サイドシール部３の外縁３ａの仮想延長線Ｌ１と筒口部９の軸線Ｏとの成す角度θａが大きくなるほど、筒口部９が取り付けられる傾斜シール部８の外縁８ａに対するサイドシール部３の外縁３ａの傾斜角度θｂを小さくする必要がある。
しかし、仮想延長線Ｌ１及びＬ２よりも内側に筒口部９を収納しつつ、傾斜角度θｂを小さくするほど、サイドシール部３とトップシール部５とが出会うコーナーが大きく切り取られることになる。このため、切り取られるコーナーが大きくなりすぎて、詰替パウチ１０の容量が小さくなることを回避するため、傾斜角度θｂは、１０°以上であることが好ましい。
【００３０】
なお、本実施形態では、サイドシール部３、４、及びトップシール部５は帯状の一定幅を有する。このため、サイドシール部３の外縁３ａと内縁３ｂとは平行であり、サイドシール部４の外縁４ａと内縁４ｂも平行であり、トップシール部５の外縁５ａと内縁も平行である。また、傾斜シール部８の外縁８ａと内縁８ｂも平行である。
【００３１】
また、詰替パウチ１０の横幅が広いほど、詰替パウチ１０の傾きを変えたときの筒口部９付近での内容液Ｃの液面ｃｆの上下変動幅が大きくなり、詰替パウチ１０を傾けて筒口部９から内容液Ｃを注ぐときに、内容液Ｃが勢いよく出やすくなる。
このため、図１に示す、対向する２つのサイドシール部３，４の間隔Ｗ、すなわち、一方のサイドシール部３の内縁３ｂから他方のサイドシール部４の内縁４ｂまでの距離Ｗは、２５０ｍｍ以下であることが好ましい。距離Ｗを２５０ｍｍ以下とすることにより、詰め替える際、内容液が勢いよく飛び出して、こぼれてしまうことのより一層の抑制は図ることができる。
【００３２】
また、内容液Ｃが、注ぎ出しの感覚が略水と同等の１〜２００ｍＰａ・ｓの粘度を有する液体である場合には、内容液Ｃが、シャンプーやリンスのような数千ｍＰａ・ｓ以上の粘度を有する液体である場合よりも、詰替時に勢いよく飛び出しやすい。このため、本発明は、浴室用合成洗剤や液体消臭剤のように水の粘度と同程度の、１〜２００ｍＰａ・ｓの粘度の低い内容液Ｃを詰め替える場合に適用してより好適である。
【００３３】
また、複数回分の詰替用内容液として、詰替先の保形容器の容量の２倍以上の量の内容液が収容された大容量の詰替パウチは重く、これを持ち上げると手指から滑りやすいため、内容液の詰替作業は容易ではない。このため、本発明は、収容部２は、大容量である４００〜４０００ｍＬの容量を有する詰替パウチに適用して好適である。
【実施例】
【００３４】
ここで、本発明の実施例を説明する。本実施例で使用したパウチ及び内容液の条件は、以下の通りである。
パウチサイズ：横幅１６０×縦長２７０（各サイドシール部の幅：５ｍｍ）
口筒部（スパウト）：内径８．５ｍｍ、長さ：２１ｍｍ
内容液Ｃ：  水（粘度：約１ｍＰａ・ｓ）
内容量：  ９５０ｇ
詰め替え先ボトル口部内径：  ２０ｍｍ
【００３５】
本実施例では、最初に内容液が出始めたときの口筒部の水平から下方への俯角を種々設定した。このときの俯角は、詰替前の内容液の液面が筒口部の内部側開口の下端部と接するまで詰替パウチを傾けたときの俯角と実質的に同じである。
そして、被験者８人に対して、内容液の注ぎ出始めたときの口筒部の水平から下方への俯角に応じて、詰め替え先ボトルにこぼさずに詰め替えられたか否かで判定した。判定は、下記の基準で点数付けし、８人の平均を取り、×：２点未満、△：２点以上３点未満、〇：３点以上とした。
５点：こぼす不安はほとんど感じない。
４点：こぼす不安はあまりない。よほどの不注意にこぼす感じがある。
３点：注意して注げばこぼさない。注意しないとこぼす感じがある。
２点：かなり注意して注げばこぼさないと感じる。
１点：実際にこぼした。
表１に結果を示す。
【００３６】
【表１】
2020175930.tif 000003
【００３７】
表１から、内容液が注ぎ出始めたときに、口筒部の水平から下方への俯角が３°以上であれば、内容液を詰め替える際にかなり注意すれば、こぼさずに詰め替えられることが分かる。さらに、俯角が１０°以上であれば、内容液を詰め替える際に注意するか、或いは注意しなくとも、こぼさずに詰め替えられることが分かる。
【００３８】
以上、本発明の実施形態を説明したが、本発明は、上述した実施形態に限定されるものではなく、本発明の範囲で種々の変更実施が可能である。上述した実施形態では、傾斜シール部８を帯状の直線状に形成した例を説明したが、本発明では、傾斜シール部は帯状に限定されず、また、直線形状にも限定されず、曲線状であってもよいし、直線と曲線を組み合わせた形状であってもよい。
【産業上の利用可能性】
【００３９】
本発明に係る包装袋は、例えば、洗剤等の薬品や調味料等の食品に用いる詰替用容器に適用して好適である。
【符号の説明】
【００４０】
１ａ  表側フィルム
１ｂ  裏側フィルム
２  収容部
３，４  サイドシール部
３ａ，４ａ  サイドシール部の外縁
３ｂ，４ｂ  サイドシール部の内縁
５  トップシール部
６  マチ部
７  ボトムシール部
８  傾斜シール部
８ａ  傾斜シール部の外縁
８ｂ  傾斜シール部の内縁
９  筒口部（スパウト）
９ａ  スクリューキャップ
１０  詰替パウチ
９１  筒口部の内部側開口
９１ａ  筒口部の内部側開口の下端部
９２  筒口部の外部側開口
９２ａ  筒口部の外部側開口の下端部
Ａ  空気
Ｃ  内容液
ｃｆ  内容液の液面
Ｏ  筒口部の軸線
Ｗ  サイドシール部の内縁間の距離
【図１】
2020175930.tif 000004
【図２】
2020175930.tif 000005
【図３】
2020175930.tif 000006
【図４】
2020175930.tif 000007